(57)【要約】【課題】海鳥、さらにはウミガメ、ジュゴン、トドなどの海産哺乳動物の混獲を自船管理して無くし、しかも海洋資源を枯渇させないために稚魚の捕獲を無くす一方で、１回操業当たりの燃費が安く、また操業日数を延ばして稼働率を高めることのできる、経営的に安定した新しい漁労方法を提供する。【解決手段】網で獲物を捕獲する漁労方法であって、停船した漁船の船舷に沿って刺し網を張設し、漁船が停船した状態で前記刺し網に掛かった獲物を捕獲することを特徴とする。【選択図】    図２
2005000110.tif 000002
【特許請求の範囲】
【請求項１】
網で獲物を捕獲する漁労方法であって、停船した漁船の船舷に沿って刺し網を張設し、漁船が停船した状態で前記刺し網に掛かった獲物を捕獲することを特徴とする漁労方法。
【請求項２】
請求項１において、停船した漁船の船舷に沿って複数列の刺し網を張設し、それぞれの刺し網に掛かった獲物を順次捕獲することを特徴とする漁労方法。
【請求項３】
請求項２において、複数列の刺し網の水中での高さ方向の位置をそれぞれ異なった位置とすることを特徴とする漁労方法。
【請求項４】
請求項１において、停船した漁船の船舷に沿って刺し網を２列張設し、刺し網の引き揚げ時、船舷から遠い側の刺し網の下側に取り付けた牽引具を巻き上げて、この刺し網を船舷に近い側の刺し網の方向にたぐり寄せ、その後、前記２列の刺し網をそれぞれの駆動源で引き揚げることを特徴とする漁労方法。
【請求項５】
請求項１において、停船した漁船の船舷に沿って刺し網を１列張設し、刺し網の引き揚げ時、この刺し網の上下両側に取り付けた牽引具の引き揚げ長さを調節して刺し網をＵ字状とした状態で引き揚げることを特徴とする漁労方法。
【請求項６】
請求項５において、Ｕ字状とした刺し網の引き揚げ時、刺し網の中央寄りの水中灯を点灯し、それ以外の水中灯を消灯することを特徴とする漁労方法。
【発明の詳細な説明】
【０００１】
【発明の属する技術分野】
本発明は、例えばアカイカやシマガツオ等の獲物を刺し網を用いて捕獲する漁労方法に関する。
【０００２】
【従来の技術】
１９７０年代初頭に激減したスルメイカ漁獲を補うために、７４年頃から三陸・道東沖合でアカイカ釣漁業が始まり、９７年には最高漁獲量１２万トンを揚げた。
【０００３】
一方、イカ流し網漁業は７８年に三陸・道東で始まったが、アカイカ釣漁業と競合したため、７９年から東経１７０度以西を釣漁場、以東を流し網漁場とすることで規制が実施された。
【０００４】
その後、イカ釣漁業は縮小したが、イカ流し網漁業は８０年代には毎年１２万〜２２万トンを供給する重要な漁場となり、韓国と台湾も参入した。
【０００５】
しかし、流し網漁業は混獲を主因とする国連決議により、９２年末をもってモラトリアムとなった（非特許文献１より抜粋）。
【０００６】
【非特許文献１】
２００２（平成１４）年９月１２日発行・日刊水産経済新聞「水産資源の現況探る」水産庁・水産総合研究センターまとめ
【０００７】
【発明が解決しようとする課題】
流し網漁法は刺し網を利用するものであるが、刺し網漁法のように網を固定せず、船を走らせながら長い海域にわたって網を流し、泳いできた魚を網で捕獲するというものである。
【０００８】
ところで、前記した混獲防止の対象は海鳥、さらにはウミガメ、ジュゴン、トドなどの海産哺乳動物であり、９２年末をもってモラトリアムとなった前記国連決議は、公海での流し網漁法を禁じたものであり、アカイカの漁獲を妨げるものではない。
【０００９】
ところで、アカイカはスルメイカに近縁な体重５ｋｇを超える大型種である上に肉質が柔らかく、触手といわれる２本の長い足（魚を捉える足）が関節から抜けたり、足の途中で切れたりするため、従来の釣りではこれらを原因とする釣り落としが多い。
【００１０】
アカイカの需要は高く、流し網代替漁法の開発が急務であるが、海鳥、さらにはウミガメ、ジュゴン、トドなどの海産哺乳動物の混獲を主因としてモラトリアムとなった９２年末の国連決議以降、有効な流し網代替漁法が出現していないのが現状である。
【００１１】
なお、魚の種類でエチオピア、ピアの別名で呼ばれているシマガツオは、見た目は悪いが肉質はよく、ｃｈｉｃｋｅｎ  ｏｆ  ｔｈｅ  ｓｅａ（海の鶏）と呼ばれることもあり、近年、未利用水産資源として注目され、今後の開発が期待されている。
【００１２】
これらを踏まえ、日本国内の漁業関連団体は、漁法のみならず、漁船漁業全般の将来を見据えて、新発想の呼び掛けをおこなう努力を続けている。
【００１３】
流し網漁法は、船舶を走行させた状態で漁をおこなうため燃費がかかり、また荒天時には危険が伴うため漁ができず、稼働率ひいては経営的に不安定で、その影響は設備投資を圧迫し、新船を購入できないことによる船舶の老朽化のみならず、乗組員の雇用の確保もままならず、廃船、廃業へと追い込まれているのも現実である。
【００１４】
ところで、先に述べた海鳥、さらにはウミガメなどの海産哺乳動物の保護も重要であるが、海洋資源を枯渇させないためには、乱獲を防止して稚魚を保護することも重要である。
【００１５】
本発明の目的は、海鳥、さらにはウミガメ、ジュゴン、トドなどの海産哺乳動物の混獲を自船管理して無くし、しかも海洋資源を枯渇させないために稚魚の捕獲を無くす一方で、１回操業当たりの燃費が安く、また操業日数を延ばして稼働率を高めることのできる、経営的に安定した新しい漁労方法を提供することにある。
【００１６】
【課題を解決するための手段】
本発明は、網で獲物を捕獲する漁労方法であって、停船した漁船の船舷に沿って刺し網を張設し、漁船が停船した状態で前記刺し網に掛かった獲物を捕獲することを特徴とする。
【００１７】
【発明の実施の形態】
以下、本発明を、図面を参照して説明する。
【００１８】
図１は本発明の第１の実施例の仕掛けを備えた漁船の平面図、図２は図１のＡ矢視図である。
【００１９】
図において、１は漁船、２は漁船１のブリッジを示し、漁船１の船体上には、左舷側および右舷側にそれぞれハロゲン水銀灯である集魚灯３が多数個設けられている。
【００２０】
４，５，６は停船した漁船１の船舷に沿って、左舷、右舷にそれぞれ３列張設された刺し網であって、刺し網４は、船首側のブーム７および船尾側のブーム８によって支持されている。また、刺し網５は、船首側のブーム９および船尾側のブーム１０によって支持されている。さらに、刺し網６は、船首側のブーム１１および船尾側のブーム１２によって支持されている。
【００２１】
すなわち、刺し網４の上端（船首側および船尾側の２個所の上端）である浮網端（うきあば）には、ワイヤー１３の一端が取り付けられており、ワイヤー１３の他端は、ブーム７，８を介してウインチ１４に巻かれている。また、刺し網５の上端（船首側および船尾側の２個所の上端）である浮網端には、ワイヤー１５の一端が取り付けられており、ワイヤー１５の他端は、ブーム９，１０を介してウインチ１６に巻かれている。さらに、刺し網６の上端（船首側および船尾側の２個所の上端）である浮網端には、ワイヤー１７の一端が取り付けられており、ワイヤー１７の他端は、ブーム１１，１２を介してウインチ１８に巻かれている。
【００２２】
刺し網４の下端（船首側および船尾側の２個所の下端）である脚網端（あしあば）には、刺し網引き寄せ用のワイヤー１９の一端が取り付けられており、ワイヤー１９の他端は船上に係留されている。また、刺し網５の下端（船首側および船尾側の２個所の下端）である脚網端には、刺し網引き寄せ用のワイヤー２０の一端が取り付けられており、ワイヤー２０の他端は船上に係留されている。さらに、刺し網６の下端（船首側および船尾側の２個所の下端）である脚網端には、刺し網引き寄せ用のワイヤー２１の一端が取り付けられており、ワイヤー２１の他端は船上に係留されている。
【００２３】
２２は刺し網４の脚網端に取り付けたアンカー、２３は刺し網５の脚網端に取り付けたアンカー、２４は刺し網６の脚網端に取り付けたアンカーである。
【００２４】
２５は各ブーム７，９，１１の途中に取り付けた水中灯を示す。
【００２５】
２６はワイヤー１３による刺し網４の揚網時、船首側に位置する網４の脚網端に取り付けられた刺し網引き寄せワイヤー１９を引き揚げたり、さらにはワイヤー１５による刺し網５の揚網時、船首側に位置する網５の脚網端に取り付けられた刺し網引き寄せワイヤー２０を引き揚げたりするウインチ、２７は刺し網６の揚網時、船首側に位置する網６の脚網端に取り付けられた刺し網引き寄せワイヤー２１を引き揚げるネットホーラー、２８は各刺し網４，５，６の揚網時、船尾側に位置する網４，５，６の脚網端に取り付けられた刺し網引き寄せワイヤー１９，２０，２１を引き揚げるボールローラーである。なお、前記各刺し網４，５，６の揚網時、船尾側に位置する網４，５，６の脚網端に取り付けられた刺し網引き寄せワイヤー１９，２０，２１をボールローラ２８で引き揚げるに際しては、船尾側のブーム８，１０，１２はボールローラ２８側に旋回し、各網４，５，６の揚網動作をスムーズに導く。２９は漁船１を停船させるシーアンカーである。
【００２６】
前記において、漁を開始するにあたっては、まず、漁船１が停船した状態で船首および船尾側のウインチ１４を駆動させ、ブーム７，８の先端からワイヤー１３を繰り出し、漁船１の船舷に沿って、最も遠い位置の刺し網４を所定の位置に降ろす。次に、船首および船尾側のウインチ１６を駆動させ、ブーム９，１０の先端からワイヤー１５を繰り出し、漁船１の船舷に沿って刺し網５を所定の位置に降ろす。最後に、船首および船尾側のウインチ１８を駆動させ、ブーム１１，１２の先端からワイヤー１７を繰り出し、漁船１の船舷に沿って、最も近い位置の刺し網４を所定の位置に降ろす。
【００２７】
漁が終わって刺し網４，５，６を揚げる場合は、前記とは逆に、網６，５，４の順で揚げ、各網６，５，４の揚網時にそれぞれの網６，５，４をたぐり寄せ、網６，５，４に掛かった獲物を外し、網６，５，４を船上に引き揚げればよい。
【００２８】
本発明の第１の実施例は以上のごときであり、本実施例は、停船した漁船１の船舷に沿って刺し網４，５，６を張設し、漁船が停船した状態で前記網４，５，６に掛かった獲物を捕獲するというものであって、操業中の網に海鳥、さらには海産哺乳動物が近づいて来た場合には、花火を打ち上げるなどの方法でショックを与えて追い散らし、またウミガメなどが網４，５，６に捕獲された場合には、流し網漁法に比べて短時間のうちに漁を終えて網４，５，６を引き揚げるに際し、捕獲されたウミガメなどを網４，５，６から外して海に戻してやればよく、流し網漁法のように、刺し網に掛かった海産哺乳動物などを海中で長時間引き回すことにより、酸欠が原因となって衰弱もしくは死なせることがないというように、海鳥、海産哺乳動物の混獲防止を自船で管理することができる。
【００２９】
なお、ＣＰＵＥ（１回操業当り漁獲量）の観点からみれば、刺し網を使用することなく、目の細かい網を使用することに超したことはないが、この方法によると、稚魚までも捕獲してしまい、海洋資源を枯渇させることになる。
【００３０】
これに対し、刺し網を使用する本発明によれば、稚魚を捕獲することなく、海洋資源の枯渇を少なくすることができる。
【００３１】
また、本発明は、流し網漁法のように、船舶を走行させた状態で漁をおこなうものではなく、停船した状態で漁をおこなうものであるから、１回操業当たりの燃費を安く抑えることができる。
【００３２】
さらに、本発明は、船の漂流を防ぐシーアンカー２９を下ろした停船状態で漁をおこなうものであるから、少々海が荒れている場合であっても漁を続けることができ、その結果として操業日数を延ばして稼働率を高めることができ、目の細かい網を使用しないことによる先のＣＰＵＥの観点での不利を補うことができる。
【００３３】
流し網漁法で使用する網が破けて切れた場合、長い海域に渡って漂う網が他船のプロペラに巻き付くことがあり得るが、前記実施例で説明したように、停船した漁船１の船舷近くに張り出して海中に降下した網４，５，６が破けて切れた場合は、これを直ちに回収し、漁港に持ち帰って繕い、再使用することができ、経済的である。
【００３４】
なお、前記実施例においては、停船した漁船１の船舷に沿って３列の刺し網４，５，６を張設した場合について例示したが、刺し網は、得ようとする漁獲高や漁船の大きさによって１列、もしくは２列、さらには４列以上であってもよい。
【００３５】
また、前記実施例においては、３列の刺し網４，５，６の水中での高さ方向の位置をそれぞれ異なった位置とした場合について例示したが、このように複数列の刺し網の水中での高さ方向の位置をそれぞれ異なった位置とすると、各網を同じ高さに位置させた場合に比較して、１枚１枚の網に内外から刺す獲物の捕獲量を多くし、時間当りの漁獲量を高めることができ、各網の深さ方向の長さをそれほど長くしなくてもそれなりの漁獲高が見込め、網の長さが短くなった分、その重さも軽くなり、網を船上に引き揚げる作業者の負担を軽減することができる。
【００３６】
図３は本発明の第２の実施例の仕掛けを備えた漁船の側面図である。
【００３７】
図３において、図１および図２と同一符号は同一部分を示し、本実施例の特徴とするところは、停船した漁船１の船舷に沿って２列の刺し網３０，３１を張設し、網３０，３１の引き揚げ時、船舷から遠い側の刺し網３０の下側である脚網端（船首側および船尾側の２個所）に取り付けたワイヤー３２をウインチで巻き上げて、この刺し網３０を図３の右側（右舷側）に示すように、船舷に近い側の網３１の方向にたぐり寄せ、その後、前記２列の網３０，３１をそれぞれウインチで引き揚げる。その後は、船上のネットホーラーやボールローラー等を用いて網ワイヤー３２，３３をたぐり寄せ、網３０，３１に掛かった獲物を外し、網３０，３１を船上に引き揚げればよい。
【００３８】
本実施例によれば、刺し網３０，３１の引き揚げ時、船舷から遠い側の網３０を船舷に近い側の網３１の方向にたぐり寄せるものであるから、それまで網３０，３１のいずれにも刺さずに、両網３０，３１の間で泳ぎ回っていた獲物を、強制的に両網３０，３１の間で撹乱させ、網３０もしくは３１に刺させるというものであり、時間当りの漁獲量を高めることができる。
【００３９】
図４は本発明の第３の実施例の仕掛けを備えた漁船の側面図である。
【００４０】
図４において、図１および図２と同一符号は同一部分を示し、本実施例の特徴とするところは、停船した漁船１の船舷に沿って１列の刺し網３３を張設し、網３３の引き揚げ時、この網３３の浮網端および脚網端（船首側および船尾側の４個所）に取り付けたワイヤー３４，３５の引き揚げ長さを調節して網３３を図４の右側（右舷側）に示すように、Ｕ字状とした状態で引き揚げる。その後は、船上のネットホーラーやボールローラー等を用いて網３３をたぐり寄せ、網３３に掛かった獲物を外し、移動式のワイヤー受け３６，３７を船舷まで引き寄せ、網３３を船上に引き揚げればよい。
【００４１】
本実施例によれば、刺し網３３の引き揚げ時、この網３３をＵ字状とした状態で引き揚げるものであるから、網３３に刺さっている獲物は勿論、網３３に刺さっておらずにＵ字状とした領域にいる獲物をも同時にすくい揚げることができ、時間当りの漁獲量を高めることができる。なお、Ｕ字状とした刺し網３３の引き揚げ時、網３３の中央寄りの水中灯を点灯し、それ以外の水中灯を消灯するようにすれば、灯りを好むプランクトンが網３３の中央寄りの水中灯の方に集まり、プランクトンを餌とする獲物もプランクトンを追って網３３の中央寄りの水中灯の方に集まるため、すくいこぼしを少なくすることができる。
【００４２】
また、本実施例によれば、刺し網３３に保護動物は掛かっていないが、網３３の近くに保護動物がいる場合は、Ｕ字状にすくい揚げられる網３３の動きを察知して保護動物が網３３の外に逃げ出すことが十分に考えられ、このような場合には、Ｕ字状にすくい揚げられる網３３に保護動物を捕獲してしまい、捕獲した保護動物を網３３から外して海に戻す作業を省略することができる。
【００４３】
なお、前記各実施例においては、集魚灯と水中灯とを併用する場合について説明したが、魚場の獲物が豊富である場合は、集魚灯を消したり、あるいは水中灯を消したり、さらには両灯を消すことに問題はなく、また魚場の獲物が少ない場合は、水中灯を点滅させて電気ショックを与え、集漁する等、魚場の実状に応じて判断すればよい。
【００４４】
また、前記各実施例に共通して、海中で刺し網の浮網端に取り付けたワイヤーを上下動することにより、魚影の濃い領域に刺し網を合わせ、時間当りの漁獲量を高めることができる。
【００４５】
【発明の効果】
本発明によれば、海鳥、さらにはウミガメ、ジュゴン、トドなどの海産哺乳動物の混獲を自船管理して無くし、しかも海洋資源を枯渇させないために稚魚の捕獲を無くす一方で、１回操業当たりの燃費が安く、また操業日数を延ばして稼働率を高めることのできる、経営的に安定した新しい漁労方法を提供することができる。
【図面の簡単な説明】
【図１】本発明の第１の実施例の仕掛けを備えた漁船の平面図である。
【図２】図１のＡ矢視図である。
【図３】本発明の第２の実施例の仕掛けを備えた漁船の側面図である。
【図４】本発明の第３の実施例の仕掛けを備えた漁船の側面図である。
【符号の説明】
１…漁船、４，５，６…刺し網、７〜１２…ブーム、１３…ワイヤー、１４…ウインチ、１５…ワイヤー、１６…ウインチ、１７…ワイヤー、１８…ウインチ、１９〜２１…ワイヤー、２６…ウインチ、２７…ネットホーラー、２８…ボールホーラー、３０，３１…刺し網、３２…ワイヤー、３３…刺し網、３４，３５…ワイヤー、３６，３７…ワイヤー受け。
【図１】
2005000110.tif 000003
【図２】
2005000110.tif 000004
【図３】
2005000110.tif 000005
【図４】
2005000110.tif 000006